(57)【特許請求の範囲】
【請求項１】
ディスプレイ部、
ゴルフコースのマップ情報が保存されているメモリ、
現在位置を取得する位置取得センサ、
ターゲットまでの距離を測定する距離測定センサ、
傾いたティルト角を測定する傾きセンサ、および
前記メモリから前記現在位置に対応するゴルフコースのマップ情報を判読し、前記ターゲットまでの距離値および前記ティルト角を用いて前記ターゲットまでの水平距離値を計算し、前記マップ情報を用いて前記現在位置に対応するオブジェクトおよび前記現在位置から前記水平距離値を用いて計算した攻略距離だけ離隔した地点が連結された第１指示線が表示されたコースマップイメージを前記ディスプレイ部に表示する制御部
を含み、
前記攻略距離は、
【数１】
0006918299.tif 000014
【数２】
0006918299.tif 000015
および
【数３】
0006918299.tif 000016
を用いて計算し、前記ｈ０１は前記高度差、前記ｄ０は前記直線距離、および前記ａ０１は前記ティルト角であり、前記ａ０２は前記予想着地角、前記ｈ０２は前記距離測定装置の地面からの高さ、前記Ｘ０は前記攻略距離である、
距離測定装置。
【請求項２】
前記コースマップ情報は、前記コースマップイメージに対する情報、前記コースマップイメージの蓄積情報、および前記コースマップイメージの基準点に対応する位置座標に対する情報を含む、請求項１に記載の距離測定装置。
【請求項３】
方位角を測定する方位角センサをさらに含み、
前記制御部は、前記方位角に対応する仮想線を前記コースマップイメージ上にさらに表示する、
請求項１に記載の距離測定装置。
【請求項４】
前記制御部は、前記現在位置、前記方位角、および前記マップ情報を用いて前記方位角に対応する方向に位置する関心地点を指示する指示子を前記コースマップイメージにさらに表示する、請求項３に記載の距離測定装置。
【請求項５】
前記制御部は、前記現在位置から前記関心地点までの距離値を計算し、前記関心地点までの距離値を前記コースマップイメージにさらに表示する、請求項４に記載の距離測定装置。
【請求項６】
位置取得センサが距離測定装置の現在位置を取得する段階、
制御部がゴルフコースのマップ情報が保存されているメモリから前記現在位置に対応するゴルフコースのマップ情報を判読する段階、
距離測定センサがターゲットまでの距離を測定する段階、
傾きセンサが傾いたティルト角を測定する段階、
前記制御部が前記ターゲットまでの距離値および前記ティルト角を用いて前記ターゲットまでの水平距離値を計算する段階、および
前記制御部が前記マップ情報を用いて前記現在位置に対応するオブジェクトおよび前記現在位置から前記水平距離値を用いて計算した攻略距離だけ離隔した地点が連結された第１指示線が表示されたコースマップイメージを前記ディスプレイ部に表示する段階を含み、
前記攻略距離は、
【数４】
0006918299.tif 000017
【数５】
0006918299.tif 000018
および
【数６】
0006918299.tif 000019
を用いて計算し、前記ｈ０１は前記高度差、前記ｄ０は前記直線距離、および前記ａ０１は前記ティルト角であり、前記ａ０２は前記予想着地角、前記ｈ０２は前記距離測定装置の地面からの高さ、前記Ｘ０は前記攻略距離である、
距離測定装置の制御方法。
【請求項７】
前記コースマップ情報は、前記コースマップイメージに対する情報、前記コースマップイメージの蓄積情報、および前記コースマップイメージの基準点に対応する位置座標に対する情報を含む、請求項６に記載の距離測定装置の制御方法。
【請求項８】
方位角センサが前記距離測定装置の向かう方位角を測定する段階、および
前記制御部が前記方位角に対応する仮想線を前記コースマップイメージ上に表示する段階
をさらに含む、請求項７に記載の距離測定装置の制御方法。
【請求項９】
前記制御部が前記現在位置、前記方位角、および前記マップ情報を用いて前記方位角に対応する方向に位置する関心地点を指示する指示子を前記コースマップイメージに表示する段階
をさらに含む、請求項８に記載の距離測定装置の制御方法。
【請求項１０】
前記制御部が前記現在位置から前記関心地点までの距離値を計算する段階、および
前記関心地点までの距離値を前記コースマップイメージに表示する段階
をさらに含む、請求項９に記載の距離測定装置の制御方法。
【発明の詳細な説明】
【技術分野】
【０００１】
本発明は、距離測定装置およびその制御方法に関する。
【背景技術】
【０００２】
ゴルフは、ゴルフボールを打ってホールに入れるスポーツである。ゴルファーは、ゴルフボールの現在位置とホールの位置を考慮して目標地点を決めて、ゴルフボールが目標地点に移動するように適切なゴルフクラブを選択してゴルフボールを打つ。
【０００３】
まず、ゴルファーは、ホールの位置と現在位置からホールまでの距離を把握するために、ホールに立てられたピン（旗ざお）とフェアウェーに沿って設けられている距離表示固定施設物を参照する。そして、ゴルファーは、現在位置からホールまでの距離を把握すると、ゴルフボールを移動させる目標地点を決める。しかし、ホールの位置が随時変化するので、固定施設物は随時変化するホールの位置を反映できない。したがって、ゴルファーが現在位置からホールまでの距離を正確に把握することが難しいため、目標地点がゴルフボールをホールに入れるのには不適切な位置であることがある。
【０００４】
また、最適の目標地点を決めたとしても、ゴルファーは、現在位置から目標地点までの距離を正確に把握することはできない。したがって、ゴルファーが現在位置から目標地点までの距離を考慮して選択したゴルフクラブが、目標地点までゴルフボールを移動させるのには不適切なゴルフクラブであることがある。
【０００５】
最近では、フィールド内でのより正確な距離測定のために、ＧＰＳセンサ、距離測定センサなどを用いた距離測定装置が市販されているのが実情である。しかし、このような距離測定装置を用いる場合にも、ゴルファーは、目標地点がフィールド内のどの位置であるか把握することが難しい。また、前方に視野を遮る障害物が存在する場合、ゴルファーは、障害物の向こう側にある目標地点までの距離を測定することが難しい。
【発明の概要】
【発明が解決しようとする課題】
【０００６】
本発明は、前述した問題および他の問題を解決することを目的とする。
【０００７】
また他の目的は、フィールド内での目標地点の情報を表示する距離測定装置およびその制御方法を提供することにある。
【０００８】
また他の目的は、フィールド内での距離情報を表示する距離測定装置およびその制御方法を提供することにある。
【課題を解決するための手段】
【０００９】
前記課題を解決するための本発明の一実施形態によれば、距離測定装置は、ディスプレイ部、ゴルフコースのマップ情報が保存されているメモリ、現在位置を取得する位置取得センサ、ターゲットまでの距離を測定する距離測定センサ、傾いたティルト角を測定する傾きセンサ、およびメモリから現在位置に対応するゴルフコースのマップ情報を判読し、ターゲットまでの距離値およびティルト角を用いてターゲットまでの水平距離値を計算し、マップ情報を用いて現在位置に対応するオブジェクトおよび水平距離値に応じて現在位置から離隔した地点が連結された第１指示線が表示されたコースマップイメージをディスプレイ部に表示する制御部を含む。
【００１０】
第１指示線は、現在位置から水平距離値だけ離隔した地点が連結された曲線を含むことができる。
【００１１】
制御部は、マップ情報を用いて現在位置から第１水平距離だけ離隔した地点が連結された第２指示線をコースマップイメージにさらに表示することができる。
【００１２】
コースマップ情報は、コースマップイメージに対する情報、コースマップイメージの蓄積情報、およびコースマップイメージの基準点に対応する位置座標に対する情報を含むことができる。
【００１３】
第１指示線は、現在位置から水平距離を用いて計算した攻略距離だけ離隔した地点が連結された曲線を含み、攻略距離は、
【数１】
0006918299.tif 000002
【数２】
0006918299.tif 000003
および
【数３】
0006918299.tif 000004
を用いて計算される。ここで、ｈ０１は高度差、ｄ０は直線距離、ａ０１はティルト角、ａ０２は予想着地角、ｈ０２は距離測定装置の地面からの高さ、Ｘ０は攻略距離である。
【００１４】
制御部は、マップ情報を用いて現在位置から第１攻略距離だけ離隔した地点が連結された第２指示線をコースマップイメージにさらに表示し、地点と第１攻略距離は、〔数１〕〜〔数３〕の数式を用いて計算することができる。
【００１５】
第１指示線は、第２指示線と相異する形態で表示することができる。
【００１６】
方位角を測定する方位角センサをさらに含み、制御部は、方位角に対応する仮想線をコースマップイメージ上にさらに表示することができる。
【００１７】
制御部は、現在位置、方位角、およびマップ情報を用いて方位角に対応する方向に位置する関心地点を指示する指示子をコースマップイメージにさらに表示することができる。
【００１８】
制御部は、現在位置から関心地点までの攻略距離値を計算し、関心地点までの攻略距離値をコースマップイメージにさらに表示することができる。
【００１９】
一実施形態による距離測定装置の制御方法は、位置取得センサが距離測定装置の現在位置を取得する段階、制御部がゴルフコースのマップ情報が保存されているメモリから現在位置に対応するゴルフコースのマップ情報を判読する段階、距離測定センサがターゲットまでの距離を測定する段階、傾きセンサが傾いたティルト角を測定する段階、制御部がターゲットまでの距離値およびティルト角を用いてターゲットまでの水平距離値を計算する段階、および制御部がマップ情報を用いて現在位置に対応するオブジェクトおよび水平距離値に応じて現在位置から離隔した地点が連結された第１指示線が表示されたコースマップイメージをディスプレイ部に表示する段階を含む。
【００２０】
第１指示線は、現在位置から水平距離値だけ離隔した地点が連結された曲線を含むことができる。
【００２１】
第１指示線が表示されたコースマップイメージをディスプレイ部に表示する段階後に、制御部がマップ情報を用いて現在位置から第１水平距離だけ離隔した地点が連結された第２指示線をコースマップイメージに表示する段階をさらに含むことができる。
【００２２】
コースマップ情報は、コースマップイメージに対する情報、コースマップイメージの蓄積情報、およびコースマップイメージの基準点に対応する位置座標に対する情報を含むことができる。
【００２３】
第１指示線は、現在位置から水平距離を用いて計算した攻略距離だけ離隔した地点が連結された曲線を含み、攻略距離は、
【数４】
0006918299.tif 000005
【数５】
0006918299.tif 000006
および
【数６】
0006918299.tif 000007
を用いて計算される。ここで、ｈ０１は高度差、ｄ０は直線距離、ａ０１はティルト角、ａ０２は予想着地角、ｈ０２は距離測定装置の地面からの高さ、Ｘ０は攻略距離である。
【００２４】
ターゲットまでの距離を測定する段階以前に、制御部がマップ情報を用いて現在位置から第１攻略距離だけ離隔した地点が連結された第２指示線をコースマップイメージに表示する段階をさらに含み、地点と第１攻略距離は、〔数４〕〜〔数６〕の数式を用いて計算することができる。
【００２５】
第１指示線は、第２指示線と相異する形態で表示することができる。
【００２６】
方位角センサが距離測定装置の向かう方位角を測定する段階、および制御部が方位角に対応する仮想線をコースマップイメージ上に表示する段階をさらに含むことができる。
【００２７】
制御部が現在位置、方位角、およびマップ情報を用いて方位角に対応する方向に位置する関心地点を指示する指示子をコースマップイメージに表示する段階をさらに含むことができる。
【００２８】
制御部が現在位置から関心地点までの攻略距離値を計算する段階、および関心地点までの攻略距離値をコースマップイメージに表示する段階をさらに含み得る。
【発明の効果】
【００２９】
本発明による距離測定装置およびその制御方法の効果について説明すると、次のとおりである。
【００３０】
本発明の実施形態のうち少なくとも一つによれば、ゴルファーが、フィールド内の距離情報を簡単に確認できる長所がある。
【００３１】
本発明の実施形態のうち少なくとも一つによれば、ゴルファーが、目標地点までの距離情報を簡単に確認できる長所がある。
【００３２】
本発明の適用の可能性の追加的な範囲は、以下の詳細な説明から明白になるであろう。しかし、本発明の範囲内で多様な変更および修正は当業者に明確に理解され得るので、詳細な説明および本発明の好ましい実施形態のような特定実施形態は、単に例示であると理解しなければならない。
【図面の簡単な説明】
【００３３】
【図１】一実施形態による距離測定装置を説明するためのブロック図である。
【図２】一実施形態による距離測定装置の一例を互いに異なる方向から見た概念図である。
【図３】一実施形態による距離測定装置の一例を互いに異なる方向から見た概念図である。
【図４】一実施形態による距離測定装置の光学部と距離測定センサの概略的な構造図である。
【図５】距離測定装置の制御方法の第１実施例を示すフロチャートである。
【図６】図５の制御方法により距離測定装置のディスプレイ部に表示される画面を示す図である。
【図７】図５の制御方法により関心水平距離に対応する地点を計算する方法を示す例示図である。
【図８】距離測定装置の制御方法の第２実施例を示すフロチャートである。
【図９】図８の制御方法により距離測定装置のディスプレイ部に表示される画面を示す図である。
【図１０】図８の制御方法により攻略距離を計算する方法を示す例示図である。
【図１１】実施形態の制御方法によりディスプレイ部に表示される画面を示す図である。
【発明を実施するための形態】
【００３４】
以下、添付する図面を参照する本明細書に開示された実施形態を詳細に説明するが、同一または類似の構成要素には同一、類似の図面符号を付与し、これに対する重複する説明は省略する。以下の説明で使われる構成要素に対する接尾辞「モジュール」および「部」は、明細書作成の容易性のみを考慮して付与されるか混用されるものであり、それ自体が互いに区別される意味または役割を有するものではない。また、本明細書に開示された実施形態の説明にあたり関連する公知技術に対する具体的な説明が本明細書に開示された実施形態の要旨を曖昧にし得ると判断される場合、その詳細な説明を省略する。また、添付した図面は本明細書に開示された実施形態の理解を容易にするためのものであり、添付した図面によって本明細書に開示された技術的思想は制限されず、本発明の思想および技術範囲に含まれるすべての変更、均等物ないし代替物を含むものとして理解しなければならない。
【００３５】
第１、第２等のように序数を含む用語は多様な構成要素の説明に使われるが、前記構成要素は前記用語によって限定されない。前記用語は一つの構成要素を他の構成要素から区別することのみを目的として使われる。
【００３６】
ある構成要素が他の構成要素に「連結されて」いるかまたは「接続されて」いると言及されたときには、その他の構成要素に直接的に連結されているかまたは接続されている場合であり得るが、中間に他の構成要素が存在することもできると理解しなければならない。反面、ある構成要素が他の構成要素に「直接連結されて」いるかまたは「直接接続されて」いると言及されたときには、中間に他の構成要素が存在しないものと理解しなければならない。
【００３７】
本出願で、「含む」または「有する」などの用語は、明細書上に記載された特徴、数字、段階、動作、構成要素、部品またはこれらを組み合わせたものが存在することを指定しようとするものであり、一つまたはそれ以上の他の特徴や数字、段階、動作、構成要素、部品またはこれらを組み合わせたものなどの存在または付加の可能性をあらかじめ排除しないものと理解しなければならない。
【００３８】
図１は一実施形態による距離測定装置１００を説明するためのブロック図であり、図２および図３は一実施形態による距離測定装置１００の一例を互いに異なる方向から見た概念図である。
【００３９】
距離測定装置１００は、センシング部１１０、光学部１２０、ユーザ入力部１３０、インターフェース部１４０、出力部１５０、メモリ１６０、無線通信部１７０、制御部１８０、および電源供給部１９０等を含むことができる。図１に示す構成要素は距離測定装置１００を実現するにあたって必須ではないため、本明細書上で説明する距離測定装置１００は上で挙げられた構成要素より多いかまたは少ない構成要素を有してもよい。
【００４０】
より具体的に、前記構成要素のうちセンシング部１１０は、距離測定装置１００を囲む周辺環境情報および距離測定装置１００内の情報のうち少なくとも一つをセンシングするための一つ以上のセンサを含むことができる。例えば、センシング部１１０は、距離測定センサ１１１、位置取得センサ１１２、傾きセンサ１１３（ａｃｃｅｌｅｒａｔｉｏｎ  ｓｅｎｓｏｒ）、および方位角センサ１１４を含むことができ、さらに、ジャイロスコープセンサ（ｇｙｒｏｓｃｏｐｅ  ｓｅｎｓｏｒ）、バッテリゲージ（ｂａｔｔｅｒｙ  ｇａｕｇｅ）、および環境センサ（例えば、気圧計、湿度計、温度計など）のうち少なくとも一つを含むことができる。一方、本明細書に開示された距離測定装置１００は、このようなセンサのうち少なくとも二以上のセンサでセンシングする情報を組み合わせて活用することができる。
【００４１】
距離測定センサ１１１は、ターゲット（ｔａｒｇｅｔ）までの距離を測定するセンサである。このような距離測定センサ１１１は、超音波センサ（ｕｌｔｒａｓｏｎｉｃ  ｓｅｎｓｏｒ）、赤外線センサ（ＩＲセンサ：ｉｎｆｒａｒｅｄ  ｓｅｎｓｏｒ）、レーザセンサ（ｌａｓｅｒ  ｓｅｎｓｏｒ）、レーダセンサ（ｒａｄｉｏ  ｄｅｔｅｃｔｉｎｇ  ａｎｄ  ｒａｎｇｉｎｇ  ｓｅｎｓｏｒ）、光センサ（ｏｐｔｉｃａｌ  ｓｅｎｓｏｒ，例えば、カメラ）等を含むことができる。距離測定センサ１１１は、前記挙げられたセンサの種類に限定されず、ターゲットとの距離を測定するすべての種類のセンサを含む。
【００４２】
以下で、距離測定センサ１１１は、レーザ光を前方に送出し、ターゲットに反射したレーザ光を受信してターゲットとの距離を測定するレーザセンサであると仮定して説明する。
【００４３】
位置取得センサ１１２は、距離測定装置１００の位置を取得するためのセンサとして、その代表的な例としてはＧＰＳ（Ｇｌｏｂａｌ  Ｐｏｓｉｔｉｏｎｉｎｇ  Ｓｙｓｔｅｍ）センサがある。ＧＰＳセンサは３個以上の衛星から離れた距離情報と正確な時間情報を算出した後前記算出した情報に三角法を適用することによって、緯度、傾倒、および高度による３次元の現位置情報を正確に算出することができる。現在、３個の衛星を用いて位置および時間情報を算出し、また他の１個の衛星を用いて前記算出した位置および時間情報の誤差を修正する方法が広く使われている。また、ＧＰＳセンサは、現位置をリアルタイムで継続して算出することによって速度情報を算出することができる。
【００４４】
傾きセンサ１１３は、距離測定装置１００の傾き（ｔｉｌｔ）の程度を取得する。傾きセンサ１１３は重力加速度を測定する加速度センサ（ａｃｃｅｌｅｒｏｍｅｔｅｒ）を含むことができる。また、傾きセンサ１１３は、ジャイロセンサによって取得したあらかじめ設定された基準方向からの上下方向の回転角を用いて傾きを計算するなどで実現することもできる。
【００４５】
方位角センサ１１４は、方位角を測定するセンサとして、距離測定装置１００が向かう方位角の値を取得することができる。方位角センサ１１４としては、地球磁場を感知して方位角を測定する地磁気センサ（ｇｅｏｍａｇｎｅｔｉｃ  ｓｅｎｓｏｒ）を用いることができる。また、方位角センサ１１４は、ジャイロセンサによって取得したあらかじめ設定された基準方向からの左右方向の回転角を用いて方位角を計算するなどで実現することもできる。
【００４６】
光学部１２０は、外部光を受光するための構造を有し、レンズ部とフィルタ部などを含むことができる。光学部１２０は、被写体からの光を光学的に処理する。
【００４７】
レンズ部は、ズームレンズ（ｚｏｏｍ  ｌｅｎｓ）、フォーカスレンズ（ｆｏｃｕｓ  ｌｅｎｓ）、および補償レンズ（ｃｏｍｐｅｎｓａｔｅ  ｌｅｎｓ）等を含み、フィルタ部は、ＵＶフィルタ（ｕｌｔｒａｖｉｏｌｅｔ  ｆｉｌｔｅｒ）、光学ローパスフィルタ（Ｏｐｔｉｃａｌ  Ｌｏｗ  Ｐａｓｓ  Ｆｉｌｔｅｒ）等を含むことができる。
【００４８】
ユーザ入力部１３０は、ユーザから情報の入力を受けるためのものであり、ユーザ入力部１３０を介して情報が入力されると、制御部１８０が入力された情報に対応するように距離測定装置１００の動作を制御する。このようなユーザ入力部１３０は、機械式（ｍｅｃｈａｎｉｃａｌ）入力手段（またはメカニカルキー、例えば、距離測定装置１００の前面、後面、または側面に位置するボタン、ドームスイッチ（ｄｏｍｅ  ｓｗｉｔｃｈ）、ジョグホイール、ジョグスイッチなど）およびタッチ式入力手段を含むことができる。一例として、タッチ式入力手段は、ソフトウェア的な処理によりタッチスクリーンに表示される仮想キー（ｖｉｒｔｕａｌ  ｋｅｙ）、ソフトキー（ｓｏｆｔ  ｋｅｙ）またはビジュアルキー（ｖｉｓｕａｌ  ｋｅｙ）からなるか、前記タッチスクリーン以外の部分に配置されるタッチキー（ｔｏｕｃｈ  ｋｅｙ）からなる。一方、前記仮想キーまたはビジュアルキーは、多様な形態を有し、かつタッチスクリーン上に表示されることが可能であり、例えば、グラフィック（ｇｒａｐｈｉｃ）、テキスト（ｔｅｘｔ）、アイコン（ｉｃｏｎ）、ビデオ（ｖｉｄｅｏ）またはこれらの組み合わせからなる。
【００４９】
インターフェース部１４０は、距離測定装置１００に連結される多様な種類の外部機器との通路役割を果たす。このようなインターフェース部１４０は、外部充電器ポート（ｐｏｒｔ）、有線／無線データポート（ｐｏｒｔ）、およびメモリ１６０カード（ｍｅｍｏｒｙ  ｃａｒｄ）ポートのうち少なくとも一つを含むことができる。距離測定装置１００では、前記インターフェース部１４０に外部機器が連結されることに対応して連結された外部機器と関連した適切な制御を行うことができる。
【００５０】
出力部１５０は、視覚、聴覚または触覚などに関連した出力を発生させるためのものであり、ディスプレイ部１５１、音響出力部１５２、振動出力部１５３等を含むことができる。
【００５１】
ディスプレイ部１５１は、距離測定装置１００で処理される情報を表示（出力）する。例えば、ディスプレイ部１５１は、距離測定装置１００で駆動されるアプリケーションプログラムの実行画面情報、またはこのような実行画面情報によるＵＩ（Ｕｓｅｒ  Ｉｎｔｅｒｆａｃｅ）、ＧＵＩ（Ｇｒａｐｈｉｃ  Ｕｓｅｒ  Ｉｎｔｅｒｆａｃｅ）情報を表示することができる。
【００５２】
ディスプレイ部１５１は、液晶ディスプレイ（ｌｉｑｕｉｄ  ｃｒｙｓｔａｌ  ｄｉｓｐｌａｙ，ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ，ＴＦＴ  ＬＣＤ）、有機発光ダイオード（ｏｒｇａｎｉｃ  ｌｉｇｈｔ−ｅｍｉｔｔｉｎｇ  ｄｉｏｄｅ，ＯＬＥＤ）、Ｅ  Ｉｎｋ（登録商標）ディスプレイ（ｅ−ｉｎｋ  ｄｉｓｐｌａｙ）のうち少なくとも一つを含むことができる。
【００５３】
また、ディスプレイ部１５１は、距離測定装置１００の実現形態によって２個以上存在してもよい。この場合、距離測定装置１００の外面、距離測定装置１００の内部に複数のディスプレイ部１５１が共に配置されるかまたは距離測定装置１００の外面、距離測定装置１００の内部それぞれに個別に配置されてもよい。
【００５４】
外面に配置されたディスプレイ部１５１ａは、タッチ方式によって制御命令の入力を受けるようにディスプレイ部１５１ａに対するタッチを感知するタッチセンサを含むことができる。これを用いてディスプレイ部１５１ａに対するタッチが行われると、タッチセンサは前記タッチを感知し、制御部１８０はこれに基づいて前記タッチに対応する制御命令を発生させ得る。タッチ方式によって入力される内容は文字または数字であるか、各種モードでの指示または指定可能なメニュー項目などであり得る。
【００５５】
内部に配置されたディスプレイ部１５１ｂは、距離測定装置１００の接眼レンズ１２１を介してユーザに映像を表示する。内部に配置されたディスプレイ部１５１ｂは、接眼レンズ１２１の光経路上に直接位置した透明ディスプレイ（または半透明ディスプレイ）を含む。前記透明ディスプレイの代表的な例としてはＴＯＬＥＤ（Ｔｒａｎｓｐａｒｅｎｔ  ＯＬＥＤ）等がある。また、内部に配置されたディスプレイ部１５１ｂは、光を屈折させるか反射させるなどの機能を有する光学部材を介して接眼レンズ１２１の光経路に映像を提供する不透明ディスプレイとすることができる。
【００５６】
音響出力部１５２は、メモリ１６０に保存されたオーディオデータを音で出力することができ、各種アラーム音やマルチメディアの再生音を出力するラウドスピーカ（ｌｏｕｄ  ｓｐｅａｋｅｒ）の形態で実現することができる。
【００５７】
振動出力部１５３は、ユーザが感じ得る多様な触覚効果を発生させる。振動出力部１５３が発生する振動の強さとパターンなどはユーザの選択または制御部１８０の設定によって制御され得る。例えば、振動出力部１５３は、互いに異なる振動を合成して出力または順次出力することもできる。
【００５８】
その他にも出力部１５０は、光源からの光を用いてイベント発生を知らせる信号を出力する光出力部をさらに含むこともできる。
【００５９】
また、メモリ１６０は、距離測定装置１００の多様な機能を支援するデータ（例えば、データはゴルフコースのティーボックス（ｔｅｅ  ｂｏｘ）、フェアウェー、ハザード（ｈａｚａｒｄ）、バンカー（ｂｕｎｋｅｒ）、ラフ（ｒｏｕｇｈ）、グリーン（ｇｒｅｅｎ）、ホール（ｈｏｌｅ）に対するコースマップ情報などを含み、これに限定されない）を保存する。メモリ１６０は、距離測定装置１００で駆動されるファームウェア（ｆｉｒｍｗａｒｅ）、アプリケーションプログラム（ａｐｐｌｉｃａｔｉｏｎ  ｐｒｏｇｒａｍ）、距離測定装置１００の動作のためのデータ、コマンドを保存する。このようなアプリケーションプログラムのうち少なくとも一部は、距離測定装置１００の基本的な機能のために出庫当時から距離測定装置１００上に存在し得る。また、このようなアプリケーションプログラムのうち少なくとも一部は、無線通信により外部サーバーからダウンロードできる。一方、アプリケーションプログラムは、メモリ１６０に保存され、距離測定装置１００上にインストールされ、制御部１８０によって前記距離測定装置１００の動作（または機能）を行うように駆動され得る。
【００６０】
無線通信部１７０は、距離測定装置１００と無線通信システムとの間、距離測定装置１００と他の無線通信可能なデバイスとの間、または距離測定装置１００と外部サーバーとの間の無線通信を可能にする一つ以上のモジュールを含むことができる。
【００６１】
このような無線通信部１７０は、無線インターネットモジュール１７１および近距離通信モジュール１７２等を含むことができる。
【００６２】
無線インターネットモジュール１７１は、無線インターネット接続のためのモジュールであり、距離測定装置１００に内蔵され得る。無線インターネットモジュール１７１は、無線インターネット技術による通信網で無線信号を送受信する。無線インターネット技術としては、例えばＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、Ｗｉ−Ｆｉ（Ｗｉｒｅｌｅｓｓ  Ｆｉｄｅｌｉｔｙ）  Ｄｉｒｅｃｔ、ＤＬＮＡ（Ｄｉｇｉｔａｌ  Ｌｉｖｉｎｇ  Ｎｅｔｗｏｒｋ  Ａｌｌｉａｎｃｅ）、ＷｉＢｒｏ（Ｗｉｒｅｌｅｓｓ  Ｂｒｏａｄｂａｎｄ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）等があり、前記無線インターネットモジュール１７１は、前記で挙げられていないインターネット技術まで含む範囲で少なくとも一つの無線インターネット技術によりデータを送受信する。
【００６３】
近距離通信モジュール１７２は、近距離通信（Ｓｈｏｒｔ  ｒａｎｇｅ  ｃｏｍｍｕｎｉｃａｔｉｏｎ）のためのものであり、ブルートゥース（Ｂｌｕｅｔｏｏｔｈ、登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）、ＺｉｇＢｅｅ、ＮＦＣ（Ｎｅａｒ  Ｆｉｅｌｄ  Ｃｏｍｍｕｎｉｃａｔｉｏｎ）、Ｗｉ−Ｆｉ（Ｗｉｒｅｌｅｓｓ−Ｆｉｄｅｌｉｔｙ）、Ｗｉ−Ｆｉ  Ｄｉｒｅｃｔ、Ｗｉｒｅｌｅｓｓ  ＵＳＢ（Ｗｉｒｅｌｅｓｓ  Ｕｎｉｖｅｒｓａｌ  Ｓｅｒｉａｌ  Ｂｕｓ）技術のうち少なくとも一つを用いて近距離通信を支援することができる。このような近距離通信モジュール１７２は、近距離無線通信網（Ｗｉｒｅｌｅｓｓ  Ａｒｅａ  Ｎｅｔｗｏｒｋｓ）を通じて距離測定装置１００と無線通信システムとの間、距離測定装置１００と無線通信可能なデバイスとの間、または距離測定装置１００と外部サーバーが位置したネットワークとの間の無線通信を支援することができる。前記近距離無線通信網は、近距離無線個人通信網（Ｗｉｒｅｌｅｓｓ  Ｐｅｒｓｏｎａｌ  Ａｒｅａ  Ｎｅｔｗｏｒｋｓ）でも良い。
【００６４】
ここで、無線通信可能なデバイスとしては、本発明による距離測定装置１００とデータを相互交換することが可能な（または連動可能な）ウェアラブルデバイス（ｗｅａｒａｂｌｅ  ｄｅｖｉｃｅ、例えば、スマートウォッチ（ｓｍａｒｔ  ｗａｔｃｈ）、スマートグラス（ｓｍａｒｔ  ｇｌａｓｓｅｓ）等）を用いることができる。近距離通信モジュール１７２は、距離測定装置１００の周辺に前記距離測定装置１００と通信可能なウェアラブルデバイスを感知（または認識）することができる。さらに、制御部１８０は、前記感知したウェアラブルデバイスが一実施形態による距離測定装置１００と通信するように認証されたデバイスである場合、距離測定装置１００で処理されるデータの少なくとも一部を、前記近距離通信モジュール１７２を介してウェアラブルデバイスに伝送することができる。したがって、ウェアラブルデバイスのユーザは、距離測定装置１００で処理されるデータを、ウェアラブルデバイスを介して利用することができる。
【００６５】
制御部１８０は、前記アプリケーションプログラムに関連した動作の他にも、通常距離測定装置１００の全般的な動作を制御する。制御部１８０は、上で調べた構成要素を介して入力または出力される信号、データ、情報などを処理するかメモリ１６０に保存されたアプリケーションプログラムを駆動することによって、ユーザに適切な情報または機能を提供または処理することができる。
【００６６】
また、制御部１８０は、メモリ１６０に保存されたアプリケーションプログラムを駆動するために、図１を参照して上述した構成要素のうち少なくとも一部を制御することができる。さらに、制御部１８０は、前記アプリケーションプログラムの駆動のために、距離測定装置１００に含まれた構成要素のうち少なくとも二つ以上を、互いに組み合わせて動作させることができる。
【００６７】
電源供給部１９０は、制御部１８０の制御下で、外部の電源および／または内部の電源の印加を受けて、距離測定装置１００に含まれた各構成要素に電源を供給する。このような電源供給部１９０はバッテリを含み、このバッテリは、内蔵型バッテリまたは交換可能な形態のバッテリである。
【００６８】
前記各構成要素のうち少なくとも一部は、以下で説明する多様な実施形態による距離測定装置１００の動作、制御、または制御方法を実現するために互いに協力して動作することができる。また、前記距離測定装置１００の動作、制御、または制御方法は、前記メモリ１６０に保存された少なくとも一つのアプリケーションプログラムの駆動によって、距離測定装置１００上で実現することができる。
【００６９】
図２および３を参照すると、開示された距離測定装置１００は、前面と後面が楕円トラック形状（ｏｖａｌ  ｔｒａｃｋ  ｓｈａｐｅ）の柱形態のボディーを備えている。ただし、本発明はこれに限定されず、ウォッチ（ｗａｔｃｈ）タイプ、クリップ（ｃｌｉｐ）タイプ、グラス（ｇｌａｓｓｅｓ）タイプまたは２以上のボディーが相手移動可能に結合されるスライド（ｓｌｉｄｅ）タイプ、スイング（ｓｗｉｎｇ）タイプ、スイベル（ｓｗｉｖｅｌ）タイプなど多様な構造に適用することができる。距離測定装置１００の特定類型に関連するが、距離測定装置１００の特定類型に関する説明は他のタイプの距離測定装置１００に一般的に適用することができる。
【００７０】
ここで、ボディーは、距離測定装置１００を少なくとも一つの集合体として見て、これを指す概念として理解することができる。
【００７１】
距離測定装置１００は、外観をなすケース（例えば、フレーム、ハウジング、カバーなど）を含む。図面に示すように、距離測定装置１００は、フロントケース１０１、ミドルケース１０２、およびリアケース１０３を含むことができる。フロントケース１０１、ミドルケース１０２、およびリアケース１０３の結合によって形成される内部空間には各種電子部品が配置される。
【００７２】
このようなケースは、合成樹脂を射出して形成され、あるいは金属、例えばステンレススチール（ＳＴＳ）、アルミニウム（Ａｌ）、チタニウム（Ｔｉ）等で形成され、革、ゴムなどの材料でその外部がカバーされてもよい。
【００７３】
フロントケース１０１には、接眼レンズ１２１、第１操作ユニット１３０ａ、第２操作ユニット１３０ｂ、およびディスプレイ部１５１ａが配置される。この時、第１操作ユニット１３０ａは、接眼レンズ１２１の周りにジョグホイール形態で配置され、接眼レンズ１２１を保護することができる。
【００７４】
ミドルケース１０２の一面には、第３操作ユニット１３０ｃと第４操作ユニット１３０ｄが配置される。ユーザは、距離測定装置１００を把持した状態で、第３操作ユニット１３０ｃ、第４操作ユニット１３０ｄを便利に操作することができる。
【００７５】
リアケース１０３には、少なくとも一つの対物レンズ（１２２，１２３）が配置される。対物レンズ（１２２，１２３）は、外部からの光を受光することができる。例えば上側に位置した対物レンズ１２２は、被写体からの光を受光し、ユーザが接眼レンズ１２１を介して、被写体を肉眼で確認できるようにする。下側に位置した対物レンズ１２３は、距離測定装置１００で発光したレーザがターゲットに反射すると、反射したレーザを受光することができる。
【００７６】
これらの構成は、このような配置に限定されるものではない。これらの構成は、必要に応じて、除外または代替することができ、他の面に配置されることができる。例えば、ボディーの前面にはディスプレイ部１５１ａと第２操作ユニット１３０ｂが備えられなくてもよく、操作ユニット（１３０ａ、１３０ｂ、１３０ｃ、１３０ｄ）の個数も変更可能である。
【００７７】
次に、図４を参照して、距離測定装置１００の光学部１２０および距離測定センサ１１１について具体的に説明する。
【００７８】
図４は、一実施形態による距離測定装置１００の光学部１２０と距離測定センサ１１１の概略的な構造図である。
【００７９】
一実施形態による距離測定装置１００は、二つの対物レンズ（１２２，１２３）と一つの接眼レンズ１２１、光経路変更部１２６、光処理部１２４、ディスプレイ部１５１ａ、レーザ発生部１１１０、レーザ受信部１１１１、レーザ制御部１１１２、および制御部１８０を含む。
【００８０】
第１対物レンズ１２２を介して、外部光ＯＬが距離測定装置１００に入射され、また、レーザ発生部１１１０で発生したレーザ光Ｌ１が外部に発射される。レーザ発生部１１１０で発生したレーザ光Ｌ１は、光経路変更部１２６を介して、第１対物レンズ１２２を向かうように経路が変更される。
【００８１】
外部光ＯＬは、第１対物レンズ１２２、光経路変更部１２６を経て、光処理部１２４に入射される。光処理部１２４は、レンズ部とフィルタ部を含む。光処理部１２４に入射された外部光ＯＬは、光学的に処理されて、接眼レンズ１２１側へ向かう。レンズ部は、駆動部１２５の駆動により、光を処理する。例えば、ユーザが第１操作ユニット１３０ａ等を操作すると、駆動部１２５が駆動し、ズームレンズが移動して、ズーム−イン（ｚｏｏｍ−ｉｎ）またはズーム−アウト（ｚｏｏｍ−ｏｕｔ）動作が行われる。
【００８２】
第２対物レンズ１２３を介して、ターゲットで反射したレーザ光Ｌ２が距離測定装置１００に入射され得る。レーザ受信部１１１１は、第２対物レンズ１２３を介して入射されるレーザ光Ｌ２を受光し、対応する信号をレーザ制御部１１１２に出力する。
【００８３】
これによりレーザ制御部１１１２は、レーザ受信部１１１１から受信された信号を用いて距離測定装置１００からターゲットまでの距離を算出する。そして算出した距離値を制御部１８０に出力する。
【００８４】
ディスプレイ部１５１ｂは、透明または半透明ディスプレイで構成され、外部光ＯＬが通過する経路上に直接配置される。また、ディスプレイ部１５１ｂは、光を屈折させるか反射させるなどの機能を有する光学部材を介して、接眼レンズ１２１の光経路に映像を提供することもできる。
【００８５】
以下ではこのように構成された距離測定装置１００で実現できる制御方法に関連した実施例について、添付する図面を参照して説明する。本発明は、本発明の精神および必須特徴を逸脱しない範囲で他の特定の形態で具体化できることは、当業者には自明である。
【００８６】
図５〜図７を参照して、第１実施例による距離測定装置１００の制御方法を説明する。
【００８７】
図５は、第１実施例による距離測定装置１００の制御方法のフロチャートであり、図６は図５の制御方法により距離測定装置１００のディスプレイ部１５１ａに表示される画面を示す図面であり、図７は図５の制御方法により関心水平距離に対応する地点を計算する方法を示す例示図である。
【００８８】
まず、位置取得センサ１１２が、現在位置を取得（Ｓ１００）する。すなわち、位置取得センサ１１２は、距離測定装置１００の現在位置の座標を取得する。
【００８９】
制御部１８０は、現在位置の座標に対応するコースマップ情報をメモリ１６０から判読（Ｓ１０２）する。コースマップ情報は、コースのマップイメージ情報、マップイメージの蓄積情報、マップイメージの基準点に対応する位置座標情報などを含む。
【００９０】
制御部１８０は、コースマップ情報のマップイメージの基準点（例えば、四角形形態のマップイメージの四個の角などを含み、これに制限されない）に対応する位置座標情報を用いて、現在位置が含まれるコースを決める。
【００９１】
距離測定センサ１１１は、距離測定装置１００からターゲット２００までの直線距離を測定（Ｓ１０４）し、傾きセンサ１１３は、距離測定装置１００が向かう傾きの角度（以下、ティルト角（ｔｉｌｔ  ａｎｇｌｅ）という）を測定（Ｓ１０６）する。段階（Ｓ１０４）および段階（Ｓ１０６）の順序はこれに制限されない。
【００９２】
これにより制御部１８０は、測定された直線距離とティルト角を用いて、下記の数式により距離測定装置１００からターゲット２００までの水平距離Ｌ０を計算（Ｓ１０８）する。
【数７】
0006918299.tif 000008
ここで、Ｌ０は距離測定装置１００からターゲットまでの水平距離、ｄ０は距離測定センサ１１１により測定された直線距離、ａ０１はティルト角である。
【００９３】
これにより制御部１８０は、図６に示すように、現在位置に対応するオブジェクト６００、および距離測定装置１００が計算した水平距離を指示する指示線６０１が表示されたコースマップイメージを、ディスプレイ部１５１ａに表示（Ｓ１１０）する。
【００９４】
制御部１８０は、現在位置座標、基準点に対応する位置座標情報、およびマップイメージの蓄積情報を用いて、マップイメージ内で現在位置座標に対応するオブジェクトの位置を決める。
【００９５】
指示線６０２ａ，６０２ｂ，６０２ｃとして、コースマップの現在位置に対応するオブジェクト６００からコースマップイメージでのターゲットまでの水平距離に対応する長さの指示線６０１の前後に、オブジェクト６００からの水平距離が離隔して表示される。図７に示すように、制御部１８０は、マップイメージの蓄積情報を用いて、コースマップイメージ１５１０でのターゲットまでの水平距離に対応する長さＭＤ１を計算することができる。
【００９６】
指示線６０２は、例えば、半径の長さがターゲットまでの水平距離に対応する長さであり、その中心が現在位置に対応するオブジェクト６００である扇形の弧（ａｒｃ）の一部分で表示される。指示線６０２は、その他にも多様な形状で表示することができ、前記弧形態は制限されない。
【００９７】
この時、制御部１８０は、現在位置からターゲットまでの水平距離値６０３をディスプレイ部１５１ａにさらに表示することができる。
【００９８】
制御部１８０は、関心水平距離に対応する地点を計算（Ｓ１１２）する。
【００９９】
制御部１８０は、現在位置からあらかじめ設定された水平距離だけ離れた地点を計算することができる。例えば、制御部１８０は、現在位置から１０ヤードの水平距離単位で離れた地点を計算することができる。制御部１８０は、現在位置から１０ヤード離れた地点、２０ヤード離れた地点、３０ヤード離れた地点などを計算することができる。あらかじめ設定される水平距離は、１０ヤードに限定されず、１０メートル、２０ヤードなどに変更することができ、これに制限されない。
【０１００】
関心水平距離は、あらかじめ設定された水平距離のうち、ターゲットまでの水平距離と近接する水平距離を含む。例えば、ターゲットまでの水平距離値を１５３ヤードで計算した場合、関心水平距離として、１３０ヤード、１４０ヤード、１５０ヤード、１６０ヤード、１７０ヤードなどを含む。関心水平距離は、水平距離値の７０％〜１３０％範囲の距離を含む。前記範囲は８０％〜１２０％、９０％〜１３０％等に変更することができ、これに制限されない。
【０１０１】
制御部１８０は、コースのマップイメージ情報とマップイメージの蓄積情報を用いて、マップイメージ上の関心水平距離に対応する地点を計算することができる。これと関連して、図７を共に参照する。
【０１０２】
図７に示すように、制御部１８０は、マップイメージ１５１０上で現在位置に対応する地点７００を決める。制御部１８０は、関心水平距離とマップイメージ１５１０の蓄積情報を用いて各関心水平距離に対応する長さ（Ｄ１ａ、Ｄ１ｂ、Ｄ１ｃ）を計算する。そして制御部１８０は、地点７００を中心に半径の長さが長さ（Ｄ１ａ、Ｄ１ｂ、Ｄ１ｃ）である扇形の弧の座標（または弧を示す関数）を、マップイメージ上の関心水平距離に対応する地点として計算する。
【０１０３】
これにより、制御部１８０は、図６に示すように、関心水平距離を指示する指示線（６０２ａ、６０２ｂ、６０２ｃ）が表示されたコースマップイメージを、ディスプレイ部１５１ａに表示（Ｓ１１４）する。このとき、制御部１８０は、関心水平距離の値を、指示線（６０２ａ、６０２ｂ、６０２ｃ）に対応してディスプレイ部１５１ａにさらに表示することができる。
【０１０４】
指示線（６０２ａ、６０２ｂ、６０２ｃ）は、指示線６０１と相異する形態で表示されてもよい。例えば、指示線６０１は、指示線（６０２ａ、６０２ｂ、６０２ｃ）より厚い線で表示されてもよい。また、指示線６０１の色は、指示線（６０２ａ、６０２ｂ、６０２ｃ）の色と異なってもよい。
【０１０５】
また、方位角センサ１１４は、距離測定装置１００が向かう方向の方位角を測定（Ｓ１１６）する。
【０１０６】
これにより制御部１８０は、現在位置に対応するオブジェクト６００および距離測定装置１００が向かう方向に対応する仮想線６０４が表示されたコースマップイメージを、ディスプレイ部１５１ａに表示（Ｓ１１８）する。
【０１０７】
制御部１８０は、位置取得センサ１１２から測定された現在位置の座標が変更されると、オブジェクト６００を、変更された座標に対応してコースマップ上で移動させて表示する。制御部１８０は、方位角センサ１１４から測定されたターゲットまでの水平距離が変更されると、ターゲットまでの水平距離に対応して、コースマップイメージ上で指示線６０１を変更して表示する。
【０１０８】
次に、図８〜図１０を参照して、第２実施例による距離測定装置１００の制御方法を説明する。
【０１０９】
図８は、第２実施例による距離測定装置１００の制御方法のフロチャートであり、図９は、図８の制御方法により距離測定装置１００のディスプレイ部１５１ａに表示される画面を示す図である。
【０１１０】
まず、位置取得センサ１１２は、現在位置を取得（Ｓ２００）する。位置取得センサ１１２は、距離測定装置１００の現在位置の座標を取得することができる。
【０１１１】
制御部１８０は、現在位置の座標に対応するコースマップ情報を、メモリ１６０から判読（Ｓ２０２）する。コースマップ情報は、ゴルフコース内の所定単位（ｕｎｉｔ）（例えば、画素単位、所定長さ（１ヤードまたは１メートル）単位、ＧＰＳ座標単位など）で区分された各地点の位置座標情報を含む。位置座標情報は各地点の高度情報を含むことができる。その他にも、コースマップ情報はコースのマップイメージ情報、マップイメージの蓄積情報、マップイメージの基準点に対応する位置座標情報などを含むことができる。
【０１１２】
次に、制御部１８０は、関心攻略距離に対応する地点を計算（Ｓ１１２）する。攻略距離と関して、図１０を共に参照して説明する。
【０１１３】
コース内の一地点（ターゲット２００）は、対応する高度値を有する。制御部１８０は、現在地点の座標とターゲット２００の座標を用いて、二つの地点の間の水平距離Ｌ０に加え、高度差ｈ０１を次の数式により計算する。
【数８】
0006918299.tif 000009
【０１１４】
これにより制御部１８０は、水平距離Ｌ０と高度差ｈ０１を用いて、次の数式によりターゲット２００までの攻略距離Ｘ０を計算する。
【数９】
0006918299.tif 000010
ここで、Ｘ０は攻略距離であり、ｄ０×ｃｏｓ  ａ０１（＝Ｌ０）は距離測定装置１００からターゲット２００までの水平距離であり、ｈ０２はゴルフボール１０から距離測定装置１００までの高さである。ｈ０２は、ユーザの入力によって設定できる任意の値とすることができる。また、ｈ０２は、距離測定センサ１１１を用いて地面との垂直距離を測定することによって取得した値でもよい。直線距離ｄ０が所定距離値（例えば、１５０ｍなど）以上の場合、ｈ０２の値は無視することができる。
【０１１５】
この時、攻略距離Ｘ０とゴルフボール１０の予想着地角（ｌａｎｄｉｎｇ  ａｎｇｌｅ，ａ０２）との間には次の数式のような関係がある。
【数１０】
0006918299.tif 000011
【０１１６】
すなわち、攻略距離Ｘ０と予想着地角ａ０２は〔数１０〕のように関数で表すことができ、関数の形態は１次関数、２次関数などに制限されない。例えば、攻略距離Ｘ０と予想着地角ａ０２は、下記の数式のように１次関数で表すことができる。
【数１１】
0006918299.tif 000012
ここで、ｉとｊは、定数値として、ユーザにより、または制御部１８０により、選択される値である。例えば、ユーザが男性である場合、ｉを０．１１、ｊを６７と選択し、ユーザが女性である場合、ｉを０．１１、ｊを６０と選択することができる。ただし、本発明のｉ値およびｊ値は、これに制限されるものではない。また、攻略距離Ｘ０と予想着地角ａ０２は、下記の数式のように２次関数で表すこともできる。
【数１２】
0006918299.tif 000013
ここで、ｌ、ｍ、ｎは、定数値として、ユーザにより、または制御部１８０により、選択される値である。
【０１１７】
その他にも、攻略距離Ｘ０は、現在地点と一地点２００を連結する線が地面となす角度ａ１と水平距離Ｌ０を用いて計算することもでき、このような方式に制限されるものではない。
【０１１８】
前記方法を用いて制御部１８０は、攻略距離Ｘ０が関心攻略距離値を満足する地点（または地点に対する関数）を計算することができる。
【０１１９】
これにより制御部１８０は、図９に示すように、現在位置に対応するオブジェクト９００および関心攻略距離を指示する指示線（９０１ａ，９０１ｂ，９０１ｃ）が表示されたコースマップイメージを、ディスプレイ部１５１ａに表示（Ｓ２０６）する。この時、制御部１８０は、関心攻略距離の値を、指示線（９０１a，９０１ｂ，９０１ｃ）に対応して、ディスプレイ部１５１ａにさらに表示することができる。このような指示線（９０１a，９０１ｂ，９０１ｃ）は、自由曲線形態を有することができる。
【０１２０】
距離測定センサ１１１は、距離測定装置１００からターゲット２００までの直線距離を測定（Ｓ２０８）し、傾きセンサ１１３は、距離測定装置１００のティルト角を測定（Ｓ２１０）する。段階（Ｓ２０８）および段階（Ｓ２１０）の順序は、これに制限されない。
【０１２１】
これにより制御部１８０は、測定された直線距離とティルト角を用いて、ターゲットまでの攻略距離を計算（Ｓ２１２）する。制御部１８０は、上述した［数７］から［数１２］を用いて、ターゲットまでの攻略距離を計算することができる。
【０１２３】
制御部１８０は、〔数１〕により距離測定装置１００からターゲット２００までの水平距離を計算し、〔数１２〕により距離測定装置１００からターゲット２００までの高さ（高度差）を計算し、〔数８〕および〔数９〕を用いて攻略距離を計算することができる。
【０１２４】
そして、制御部１８０は、距離測定装置１００が計算したターゲットまでの攻略距離を指示する指示線９０２が表示されたコースマップイメージを、ディスプレイ部１５１ａに表示（Ｓ２１４）する。このような指示線９０２は、自由曲線形態を有することができる。
【０１２５】
指示線（９０１ａ，９０１ｂ、９０１ｃ）は、指示線６０１と相異する形態で表示することができる。例えば、指示線９０２は、指示線（９０１ａ，９０１ｂ、９０１ｃ）より厚い線で表示される。また、指示線９０２の色は、指示線（９０１ａ，９０１ｂ、９０１ｃ）の色と異なっていてもよい。
【０１２６】
また、方位角センサ１１４は、距離測定装置１００が向かう方向の方位角を測定（Ｓ２１６）する。
【０１２７】
これにより制御部１８０は、現在位置に対応するオブジェクト６００および距離測定装置１００が向かう方向に対応する仮想線６０４が表示されたコースマップイメージを、ディスプレイ部１５１ａに表示（Ｓ２１８）する。
【０１２８】
距離測定装置１００が向かう方向にハザード、バンカー、ラフ、グリーン、ホールなどの関心地点が位置すると、制御部１８０は、関心地点および関心地点までの距離を指示する指示子など（９０５，９０６）を、コースマップ上にさらに表示することができる。この時、制御部１８０は、現在地点から関心地点までの距離（例えば、現在位置から距離測定装置１００が向かう方向に沿って、ハザード、バンカー、またはグリーンが始まる地点までの距離および現在位置から距離測定装置１００が向かう方向に沿って、ハザード、バンカー、またはグリーンが終了する地点までの距離、現在位置からホールまでの距離など）をさらに表示することができる。
【０１２９】
制御部１８０は、位置取得センサ１１２から測定された現在位置の座標が変更されると、オブジェクト６００を変更された座標に対応してコースマップ上で移動させて表示する。制御部１８０は、方位角センサ１１４から測定されたターゲットまでの攻略距離が変更されると、ターゲットまでの攻略距離に対応してコースマップイメージ上で指示線９０２を変更して表示する。
【０１３０】
以上説明した距離測定装置１００および距離測定装置１００の制御方法によれば、ユーザがフィールド内の距離情報を簡単に確認できる長所がある。
【０１３１】
また、以上説明した距離測定装置１００および距離測定装置１００の制御方法によれば、ユーザが目標地点までの距離情報を簡単に確認できる長所がある。
【０１３２】
次に、図１１を参照して、距離測定装置１００の内部に位置したディスプレイ部１５１ｂにより提供される画面について説明する。
【０１３３】
図１１は、実施形態の制御方法によりディスプレイ部１５１ｂに表示される画面を示す図である。
【０１３４】
ユーザは、接眼レンズ１２１を介して、外部の被写体を見ることができる。ユーザは、距離測定装置１００を用いて、ターゲット照準指示子（ＴＡ）に位置したターゲットまでの距離を測定することができる。
【０１３５】
制御部１８０は、距離測定装置１００の内部に位置したディスプレイ部１５１ｂに、コースマップイメージ１２００を表示することができる。コースマップイメージ１１００には、現在位置に対応するオブジェクト１１０２、ターゲットまでの水平距離を指示する指示線１１０４、および関心距離を指示する指示線（１１０６ａ、１１０６ｂ、１１０６ｃ）を表示することができる。
【０１３６】
また、制御部１８０は、ディスプレイ部１５１ｂに、ターゲットまでの距離を指示する指示子１１０８をさらに表示させることもできる。
【０１３７】
これにより、ユーザは接眼レンズ１２１で実際のゴルフ場のコースを確認しながら、ディスプレイ部１５１ｂに表示されたゴルフ場コースのマップにより現在位置、ターゲットまでの距離、および関心距離に対する情報を便利に確認することができる。
【０１３８】
以上、本発明の実施形態について詳細に説明したが、本発明の権利範囲はこれに限定されるものではなく、本発明の属する分野における通常の知識を有する者が多様に変形および改良した形態も本発明の権利範囲に属する。
【図１】
0006918299.tif 000020
【図２】
0006918299.tif 000021
【図３】
0006918299.tif 000022
【図４】
0006918299.tif 000023
【図５】
0006918299.tif 000024
【図６】
0006918299.tif 000025
【図７】
0006918299.tif 000026
【図８】
0006918299.tif 000027
【図９】
0006918299.tif 000028
【図１０】
0006918299.tif 000029
【図１１】
0006918299.tif 000030